(57)【特許請求の範囲】
【請求項１】
表面部と裏面部との間に桁部を配設するとともに隣接する桁部間にフォーク挿入孔を形成したパレットにおいて、フォーク挿入孔の上面部に隣接する桁部間に架設した複数の桁部連結用上リブと、フォーク挿入孔へのフォーク挿入方向と平行で且つ上記桁部連結用上リブと一体に交差する複数列の挿入方向上リブとを設け、複数の桁部連結用上リブのうちフォーク挿入孔の入口端部側に位置する桁部連結用上リブを表面部のフォーク挿入孔の入口端部よりもやや後方にずれた位置に配置し、表面部のフォーク挿入孔の入口端部付近からフォーク挿入孔の入口端部側に位置する桁部連結用上リブにかけて下端縁部がフォーク挿入孔の入口端部側に向かう程上となるように上り傾斜したガイド用傾斜リブを設け、フォーク挿入孔の入口端部側に位置する桁部連結用上リブの下端部から背方に向けて補強横リブを突設し、補強横リブと桁部連結用上リブとのなすコーナ部分の出隅側を断面弧状となった曲面とすると共に挿入方向上リブ間において該コーナ部分の内隅側に内隅側補強リブを形成して成ることを特徴とするパレット。
【請求項２】
フォーク挿入孔の入口端部側に位置する桁部連結用上リブを上に行く程フォーク挿入孔の入口端部側に向かうように上り傾斜とし、このフォーク挿入孔の入口端部側に位置する桁部連結用上リブの下端部付近から表面部のフォーク挿入孔の入口端部にかけて下端縁部がフォーク挿入孔の入口端部側に向かう程上となるように上り傾斜したガイド用傾斜リブを設けて成ることを特徴とする請求項１記載のパレット。
【請求項３】
挿入方向上リブの端部をフォーク挿入孔の入口端部側に位置する桁部連結用上リブを介してフォーク挿入孔の入口端部方向に一体に延設してガイド用傾斜リブを形成して成ることを特徴とする請求項１又は請求項２記載のパレット。
【発明の詳細な説明】
【０００１】
【発明の属する技術分野】
本発明は、パレットに関するものである。
【０００２】
【従来の技術】
従来から表面部と裏面部との間に桁部を配設するとともに隣接する桁部間にフォーク挿入孔を形成し、フォーク挿入孔の上面部に隣接する桁部間に複数の桁部連結用上リブを架設したパレットが知られている。このパレットのフォーク挿入孔にフォークを挿入する際、フォークの先端が複数の桁部連結用上リブのうちフォーク挿入孔の入口端部側に位置する桁部連結用上リブに当たり、フォークを挿入することができず、場合によっては複数の桁部連結用上リブのうちフォーク挿入孔の入口端部側に位置する桁部連結用上リブを破損してしまうという問題がある。
【０００３】
【発明が解決しようとする課題】
本発明は上記の点に鑑みてなされたものであり、フォーク挿入孔にフォークを挿入するに当たって、簡単な構成でフォーク挿入孔の入口端部側に位置する桁部連結用上リブを破損することなくスムーズにフォーク挿入孔にガイドできると共に桁部連結用上リブの補強を行って、フォークが当たることによる桁部連結用上リブの変形、破損を防止することができるパレットを提供することを課題とするものである。
【０００４】
【課題を解決するための手段】
上記課題を解決するために本発明に係るパレットは、表面部１と裏面部２との間に桁部３を配設するとともに隣接する桁部３間にフォーク挿入孔４を形成したパレットにおいて、フォーク挿入孔４の上面部に隣接する桁部３間に架設した複数の桁部連結用上リブ１３と、フォーク挿入孔４へのフォーク挿入方向と平行で且つ上記桁部連結用上リブ１３と一体に交差する複数列の挿入方向上リブ１４とを設け、複数の桁部連結用上リブ１３のうちフォーク挿入孔４の入口８端部側に位置する桁部連結用上リブ１３を表面部１のフォーク挿入孔４の入口８端部よりもやや後方にずれた位置に配置し、表面部のフォーク挿入孔４の入口８端部付近からフォーク挿入孔４の入口８端部側に位置する桁部連結用上リブ１３にかけて下端縁部がフォーク挿入孔４の入口８端部側に向かう程上となるように上り傾斜したガイド用傾斜リブ２０を設け、フォーク挿入孔４の入口８端部側に位置する桁部連結用上リブ１３の下端部から背方に向けて補強横リブ２１を突設し、補強横リブ２１と桁部連結用上リブ１３とのなすコーナ部分の出隅側を断面弧状となった曲面２２ａとすると共に挿入方向上リブ１４間において該コーナ部分の内隅側に内隅側補強リブ３０を形成して成ることを特徴とするものである。
【０００５】
このような構成とすることで、フォーク挿入孔４にフォークを挿入する際、表面部１の前端部分にフォークの先端部が衝突しても、フォークリフトのフォークの先端部がガイド用傾斜リブ２０にガイドされてスムーズにフォーク挿入孔４内に挿入されるものであってフォークの先端部がフォーク挿入孔４の入口８端部側に位置する桁部連結用上リブ１３を破損することがないものであり、また、ガイド用傾斜リブ２０にフォークの先端部が食い込んだり、あるいは、桁部連結用上リブ１３の下端部に当たっても、補強横リブ２１と桁部連結用上リブ１３とのなすコーナ部分の出隅部分の曲面２２ａによりガイドされてスムーズにフォーク挿入孔４内に挿入されるものであり、この点でも桁部連結用上リブ１３が変形したり、破損したりしないものであり、更に、ガイド用傾斜リブ２０にフォークの先端部が食い込んだり、あるいはガイド用傾斜リブ２０にフォークの先端部により大きな衝撃力が加わっても、補強横リブ２１により桁部連結用上リブ１３の補強がしてあると共にコーナ部分の内隅側に内隅側補強リブ３０を形成してあるので、桁部連結用上リブ１３にかかる衝撃を挿入方向上リブ１４で支持できるだけでなく、補強横リブ２１と、挿入方向上リブ１４間においてコーナ部分の内隅側に設けた内隅側補強リブ３０とで桁部連結用上リブ１３を強固に補強して桁部連結用上リブ１３の変形や破損を防止することができ、特に、コーナ部の破損を防止できるものである。
【０００６】
また、フォーク挿入孔４の入口８端部側に位置する桁部連結用上リブ１３を上に行く程フォーク挿入孔４の入口８端部側に向かうように上り傾斜とし、このフォーク挿入孔４の入口８端部側に位置する桁部連結用上リブ１３の下端部付近から表面部１のフォーク挿入孔４の入口８端部にかけて下端縁部がフォーク挿入孔４の入口８端部側に向かう程上となるように上り傾斜したガイド用傾斜リブ２０を設けることが好ましい。このような構成とすることで、フォーク挿入孔４の入口８端部側に位置する桁部連結用上リブ１３自身が傾斜しているので、仮にガイド用傾斜リブ２０にフォークの先端部が食い込んでフォークの先端部が桁部連結用上リブ１３に衝突するようなことがあっても、傾斜した桁部連結用上リブ１３にガイドされてフォークをフォーク挿入孔４内にスムーズに挿入できるものである。
【０００７】
また、挿入方向上リブ１４の端部をフォーク挿入孔４の入口８端部側に位置する桁部連結用上リブ１３を介してフォーク挿入孔４の入口８端部方向に一体に延設してガイド用傾斜リブ２０を形成することが好ましい。このような構成とすることで、ガイド用傾斜リブ２０にフォークの先端が当たった際の衝撃を平面視で一直線状となった挿入方向上リブ１４で受けることができて、連結用上リブ１３の変形及び破損を防止できるものである。
【０００８】
【発明の実施の形態】
以下、本発明を添付図面に示す実施形態に基づいて説明する。
【０００９】
図１乃至図９には本発明のパレット５の一実施形態が示してある。パレット５は合成樹脂によって一体に射出成形してあり、平面視四角形状をした表面部１と平面視四角形状をした裏面部２との間に桁部３を配設すると共に隣接する桁部３間にフォーク挿入孔４を構成して形成してある。添付図面に示す実施形態においては、桁部３が筒状桁３ａにより構成してあり、桁部表面部１と裏面部２の隅部同士を連結する４個の隅の筒状桁３ａと、表面部１と裏面部２との周囲の中間部同士を連結する４個の中間の筒状桁３ａと、表面部１と裏面部２の中央部同士を連結する１個の中央部の筒状桁３ａにより連結してある。このように、表面部１と裏面部２とを４個の隅の筒状桁３ａと、４個の中間の筒状桁３ａと、１個の中央部の筒状桁３ａとにより一体に連結することで、上記の筒状桁３ａ間にフォーク挿入孔４が井の字状に形成された四方差しパレット５を構成してある。
【００１０】
なお、図示を省略しているが、パレット５の対向する２辺に沿って平行な細長い桁部３とし、この細長い桁部３を平面視四角形状をした表面部１の両端縁部と裏面部２の両端片部間に配設すると共に、両側の桁部３の中間に１つの中間の桁部３を配設して、細長い両側の桁部３と細長い中間の桁部３との間にそれぞれフォーク挿入孔４を形成してもよく、この場合には二方差しのパレット５が構成される。
【００１１】
図２、図３に示すように、フォーク挿入孔４の両内側面部を構成する対向する桁部３の対向側壁部６の上端部間には複数の桁部連結用上リブ１３が架設してあり、この桁部連結用上リブ１３はフォーク挿入孔４の上面部の下面側に設けてある。フォーク挿入孔４の上面部の下面側には更にフォーク挿入孔４のフォーク挿入方向と平行で且つ上記桁部連結用上リブ１３と交差一体化した挿入方向上リブ１４が設けてある。
【００１２】
ここで、図１に示すように、複数の桁部連結用上リブ１３のうちフォーク挿入孔４の入口８端部側に位置する桁部連結用上リブ１３を表面部１のフォーク挿入孔４の入口８端部よりもやや後方にずれた位置に配置してあり、フォーク挿入孔４の入口８端部側に位置する桁部連結用上リブ１３の下端部付近から表面部１のフォーク挿入孔８の入口８端部にかけて下端縁部がフォーク挿入孔８の入口８端部側に向かう程上となるように上り傾斜したガイド用傾斜リブ２０を設けてある。この複数のガイド用傾斜リブ２０の一部又は全部は挿入方向上リブ１４の端部を一体に延設して構成してある。
【００１３】
また、フォーク挿入孔４の入口８端部側に位置する桁部連結用上リブ１３の下端部から背方に向けて補強横リブ２１が突設してあり、この補強横リブ２１と桁部連結用上リブ１３とのなすコーナ部分は図１に示すように断面弧状となった曲面部２２となっており、このため、補強横リブ２１と桁部連結用上リブ１３とのなすコーナ部分の出隅は断面弧状をした曲面２２ａとなっている。添付図面に示す実施形態では補強横リブ２１と桁部連結用上リブ１３とのなすコーナ部分が曲面部２２となっているが、コーナ部分の出隅のみが曲面２２ａであってもよい。
【００１４】
なお、補強用横リブ２１の下端は桁部連結用上リブ１３の下端及び挿入方向上リブ１４の下端と同一レベルとなっていて、フォーク挿入時に補強用横リブ２１に邪魔されることなく支障なく挿入できるようになっている。
【００１５】
なお、補強横リブ２１と桁部連結用上リブ１３とのなすコーナ部分の出隅の断面弧状をした曲面２２ａは、１Ｒというような極僅かな断面弧状でも本発明における曲面の定義の範疇に含まれるものとする。
【００１６】
補強横リブ２１と桁部連結用上リブ１３とのなすコーナ部分の内隅側には挿入方向上リブ１４間において１乃至複数個内隅側補強リブ３０を形成してある。この内隅側補強リブ３０はフォーク挿入方向と同方向（つまり桁部連結用上リブ１３と直交する方向）をしており、コーナ部分である曲面部２２の内隅部のみに設けてもよく、あるいは、コーナ部分である曲面部２２の内隅部を含んで補強横リブ２１乃至桁部連結用上リブ１３のいずれか一方又は両方に至るように形成してもよい。
【００１７】
また、図４に示すように、フォーク挿入孔４の両内側面部を構成する対向する桁部３の対向側壁部６の下端部間には桁部連結用下リブ７が架設してあり、この桁部連結用下リブ７はフォーク挿入孔４の下面部に設けてある。フォーク挿入孔４の下面部にはフォーク挿入孔４のフォーク挿入方向と平行で且つ上記桁部連結用下リブ７と交差一体化した挿入方向下リブ１５が設けてある。
【００１８】
また、フォーク挿入孔４の入口８両内側面部を構成する対向する桁部３の対向側壁部６は傾斜した傾斜側壁部９となっていて該対向側壁部６の前部の間隔が外方程広くなるようになっている。
【００１９】
更に、フォーク挿入孔４の下面部の入口８側の端部は外方程下となるように下り傾斜した入口下傾斜面部１０となっている。この入口下傾斜面部１０の下面部には上記挿入方向下リブ１５の先端部が設けてある。入口下傾斜面部１０の両端部は桁部３の傾斜側壁部９に至るまで面一に連出してあって傾斜側壁部９と一体化した入口下隅傾斜面部１１が形成してある。
【００２０】
上記のように、フォーク挿入孔４の上面部の入口８側端部にガイド用傾斜リブ２０を設け、フォーク挿入孔４の入口８両内側面部を構成する対向する桁部３の対向側壁部６の前部の間隔を外方程広くなるようにして上記入口８の両内側面部を傾斜側壁部９とし、フォーク挿入孔４の下面部の入口８側の端部を外方程下となるように下り傾斜した入口下傾斜面部１０とし、入口下傾斜面部１０の両端部を桁部３の傾斜側壁部９に至るまで面一に連出して傾斜側壁部９と一体化した入口下隅傾斜面部１１を形成してあるので、フォーク挿入孔４にフォークを挿入する際、ガイド用傾斜リブ２０、傾斜側壁部９、入口下傾斜面部１０、入口下隅傾斜面部１１の傾斜により入口８部分でスムーズにガイドしてフォークをフォーク挿入孔４に挿入することができるようになっている。
【００２１】
ここで、フォーク挿入孔４にフォークを挿入する時に表面部１の前端部分にフォークの先端部が衝突した際、フォークリフトのフォークの先端部がガイド用傾斜リブ２０にガイドされてスムーズにフォーク挿入孔４内に挿入するのであるが、この場合、仮にフォーク挿入方向と平行なガイド用傾斜リブ２０にフォークの先端部が食い込んでも、補強横リブ２１と桁部連結用上リブ１３とのなすコーナ部分の出隅側の曲面２２ａでフォークの先端部がガイドされてスムーズにフォーク挿入孔４内に挿入されるものであり、この結果、フォークの先端がガイド用傾斜リブ２０に食い込んでもフォーク挿入方向と直交する桁部連結用上リブ１３を破損することなく、フォークの先端部をフォーク挿入孔４内にスムーズにガイドして挿入できるものである。また、この場合、桁部連結用上リブ１３は補強横リブ２１で補強してあることで、この点でも桁部連結用上リブ１３の破損を防止できるものである。更に、補強横リブ２１と桁部連結用上リブ１３とのなすコーナ部分の内隅側に内隅側補強リブ３０を設けてあるので、補強横リブ２１と桁部連結用上リブ１３とのなすコーナ部分の補強がなされると共に桁部連結用上リブ１３をフォーク挿入方向と反対側から内隅側補強リブ３０により支えることになり、桁部連結用上リブ１３の変形及び破損をより確実に防止することができるものである。
【００２２】
なお、図１に示す実施形態においてはガイド用傾斜リブ２０のフォーク挿入孔４の入口８端部側に位置する桁部連結用上リブ１３から前方に突出した突出基部において水平部分を設け、この水平部分の先端部からガイド用傾斜リブ２０の下端縁を上り傾斜させてあるが、図１０に示すように、ガイド用傾斜リブ２０の下端縁部をフォーク挿入孔４の入口８端部側に位置する桁部連結用上リブ１３から前方に突出した突出基部から上り傾斜させてもよいものである。また、図１１、図１２はそれぞれ本発明のガイド用傾斜リブ２０の下端の桁部連結用上リブ１３からの突出位置の違う各例を示すその他の実施形態が示してある。
【００２３】
また、図９に示すように、入口下傾斜面部１０の両端の入口下隅傾斜面部１１を連出した部分の近傍の下面部にはフォーク挿入孔４のフォーク挿入方向に略平行な補強リブ１２が形成してあり、この補強リブ１２の後端部が入口下傾斜面部１０の後端部の下面部に設けた対向する両傾斜側壁部９の後端部の下部間を連結する桁部連結用下リブ７に一体に連結してあり、補強リブ１２の前端部が入口下傾斜面部１０の前端部の下面部に設けた対向する両傾斜側壁部９の前端部の下部間を連結する桁部連結用下リブ７に一体に連結してある。
【００２４】
このように入口下傾斜面部１０の両端の入口下隅傾斜面部１１を連出した部分の近傍の下面部にはフォーク挿入孔４のフォーク挿入方向に略平行な補強リブ１２が形成してあることで、傾斜側壁部９の側端部付近にフォークの先端が当たっても、この部分がフォーク挿入方向に略平行な補強リブ１２により補強されて、補強リブ１２により入口８側に位置する桁部連結用下リブ７がねじれるのを防止できるものである。したがって、入口下傾斜面部１０の側端部付近に亀裂が発生したり、破損が生じたり、あるいは補強リブ１２が桁部連結用下リブ７に一体化することで、桁部３の傾斜側壁部９の下端部の補強ができ、桁部連結用下リブ７及び傾斜側壁部９の破損が防止できるものである。
【００２５】
図１３、図１４には本発明の更に他の実施形態が示してあり、本実施形態においては複数の桁部連結用上リブ１３のうちフォーク挿入孔４の入口８端部側に位置する桁部連結用上リブ１３を図１３、図１４に示すように、上に行く程フォーク挿入孔４の入口８端部側に向かうように上り傾斜とし、このフォーク挿入孔４の入口８端部側に位置する桁部連結用上リブ１３の下端部付近から表面部１のフォーク挿入孔４の入口８端部にかけて下端縁部がフォーク挿入孔４の入口８端部側に向かう程上となるように上り傾斜したガイド用傾斜リブ２０を設けた点に特徴があり、他の構成は前述の実施形態と同様であるので、重複する構成の説明は省略する。
【００２６】
本実施形態においては、ガイド用傾斜リブ２０にフォークの先端が当たっても、図１３においてはガイド用傾斜リブ２０→コーナ部の出隅の曲面２２ａという順序で、又図１４においてはガイド用傾斜リブ２０→傾斜した桁部連結用上リブ１３→コーナ部の出隅の曲面２２ａという順序でスムーズにフォークをガイドしてフォーク挿入孔４内に挿入できるものであって、フォークの先端が桁部連結用上リブ１３に当たってそれ以上挿入できないというような事態を避けることができるものであり、また、仮にガイド用傾斜リブ２０の上下方向のどの位置においてフォークの先端部が食い込んでフォークの先端部が桁部連結用上リブ１３に衝突するようなことがあっても、フォーク挿入孔４の入口８端部側に位置する桁部連結用上リブ１３自身が傾斜しているので、傾斜した桁部連結用上リブ１３にガイドされてフォークをフォーク挿入孔４内にスムーズに挿入できるものである。
【００２７】
また、入口下傾斜面部１０の前端部と後端部との下面部にはそれぞれ両側の桁部３の下端部間を連結する桁部連結用下リブ７が配設してある。ここで、入口下傾斜面部１０の後端部の下面部に設けた桁部連結用下リブ７は桁部３の入口側下傾斜面部１０の後端部付近において桁部３と一体に連結してあり、また、入口下傾斜面部１０の前端部の下面部に設けた桁部連結用下リブ７は桁部３の入口側下傾斜面部１０の前端部において桁部３と一体に連結してある。
【００２８】
なお、上記実施形態においては合成樹脂によって一体に射出成形してパレット５を形成した例を示しているが、合成樹脂により一体に成形した上パレット半体と合成樹脂により一体に成形した下パレット半体とを溶着等の固着手段により上下方向に結合してパレット５を構成したものであってもよい。
【００２９】
また、図１５には本発明の他の実施形態が示してある。本実施形態では、フォーク挿入孔４の上面部の入口８側端部を前述と同様の構成とすると共に下面側の入口８側端部を上面側の入口８側端部と同様の構成とした例の一実施形態を示している。このものにおいてはパレットを上下反転して使用した場合、下面側が新たな上面側となり、上記実施形態で説明したのと同様の作用効果を奏するものである。
【００３０】
【発明の効果】
上記のように本発明の請求項１記載の発明にあっては、フォーク挿入孔の上面部に隣接する桁部間に架設した複数の桁部連結用上リブと、フォーク挿入孔へのフォーク挿入方向と平行で且つ上記桁部連結用上リブと一体に交差する複数列の挿入方向上リブとを設け、複数の桁部連結用上リブのうちフォーク挿入孔の入口端部側に位置する桁部連結用上リブを表面部のフォーク挿入孔の入口端部よりもやや後方にずれた位置に配置し、表面部のフォーク挿入孔の入口端部付近からフォーク挿入孔の入口端部側に位置する桁部連結用上リブにかけて下端縁部がフォーク挿入孔の入口端部側に向かう程上となるように上り傾斜したガイド用傾斜リブを設けてあるので、フォーク挿入孔にフォークを挿入する際、表面部の前端部分にフォークの先端部が衝突しても、フォークリフトのフォークの先端部がガイド用傾斜リブにガイドされてスムーズにフォーク挿入孔内に挿入され、この結果簡単な構成でフォークの挿入がスムーズに行えるとともにフォークの先端部によりフォーク挿入孔の入口端部側に位置する桁部連結用上リブが破損されないものであり、また、フォーク挿入孔の入口端部側に位置する桁部連結用上リブの下端部から背方に向けて補強横リブを突設し、補強横リブと桁部連結用上リブとのなすコーナ部分の出隅側を断面弧状となった曲面とすると共に該コーナ部分の内隅側に内隅側補強リブを形成してあるので、仮にガイド用傾斜リブに衝突したフォークの先端部が仮にガイド用傾斜リブに食い込むようなことが発生しても、補強横リブと桁部連結用上リブとのなすコーナ部分の出隅側の曲面によりガイドされてスムーズにフォーク挿入孔内に挿入できるものであり、この結果、ガイド用傾斜リブにフォークの先端が食い込んでもフォーク挿入方向と直交する桁部連結用上リブを破損することがないものであり、また、ガイド用傾斜リブにフォークの先端部が食い込んだり、あるいは、桁部連結用上リブの下端部に当たっても、補強横リブと桁部連結用上リブとのなすコーナ部分の出隅部分の曲面によりガイドされてスムーズにフォーク挿入孔内に挿入されるものであり、この点でも桁部連結用上リブが変形したり、破損したりしないものであり、更に、ガイド用傾斜リブにフォークの先端部が食い込んだり、あるいはガイド用傾斜リブにフォークの先端部により大きな衝撃力が加わっても、桁部連結用上リブにかかる衝撃を挿入方向上リブで支持できるだけでなく、補強横リブにより桁部連結用上リブの補強がしてあると共に挿入方向上リブ間においてコーナ部分の内隅側に内隅側補強リブを形成してあるので、桁部連結用上リブの変形や破損を補強横リブとコーナ部分の内隅側に内隅側補強リブとで強固に補強して桁部連結用上リブの変形や破損を防止することができるものである。
【００３１】
また、請求項２記載の発明にあっては、上記請求項１記載の発明の効果に加えて、フォーク挿入孔の入口端部側に位置する桁部連結用上リブを上に行く程フォーク挿入孔の入口端部側に向かうように上り傾斜とし、このフォーク挿入孔の入口端部側に位置する桁部連結用上リブの下端部付近から表面部のフォーク挿入孔の入口端部にかけて下端縁部がフォーク挿入孔の入口端部側に向かう程上となるように上り傾斜したガイド用傾斜リブを設けてあるので、仮にガイド用傾斜リブにフォークの先端部が食い込んでフォークの先端部が桁部連結用上リブに衝突するようなことがあっても、傾斜した桁部連結用上リブにガイドされてフォークをフォーク挿入孔内にいっそうスムーズに挿入でき、フォークの先端部が桁部連結用上リブに突き当たったままの状態でそれ以上挿入できなかったり、あるいは桁部連結用上リブを変形させたり、破損したりするおそれがないものである。
【００３２】
また、請求項３記載の発明にあっては、上記請求項１又は請求項２記載の発明の効果に加えて、挿入方向上リブの端部をフォーク挿入孔の入口端部側に位置する桁部連結用上リブを介してフォーク挿入孔の入口端部方向に一体に延設してガイド用傾斜リブを形成するので、ガイド用傾斜リブにフォークの先端が当たった際の衝撃を平面視で一直線状となった挿入方向上リブで受けることができて、連結用上リブの変形及び破損を防止できるものである。
【図面の簡単な説明】
【図１】本発明のパレットのフォーク挿入孔の入口部分の拡大断面図である。
【図２】本発明のパレットの斜視図である。
【図３】同上の平面図である。
【図４】同上の底面図である。
【図５】同上の正面図である。
【図６】同上の側面図である。
【図７】同上の底面図である。
【図８】同上のフォーク挿入孔の入口部分の拡大正面図である。
【図９】同上のフォーク挿入孔の入口部分の拡大底面図である。
【図１０】本発明の他の実施形態のフォーク挿入孔の入口部分の拡大断面図である。
【図１１】本発明の更に他の実施形態のフォーク挿入孔の入口部分の拡大断面図である。
【図１２】本発明の更に他の実施形態のフォーク挿入孔の入口部分の拡大断面図である。
【図１３】本発明の更に他の実施形態のフォーク挿入孔の入口部分の拡大断面図である。
【図１４】本発明の更に他の実施形態のフォーク挿入孔の入口部分の拡大断面図である。
【図１５】本発明の更に他の実施形態のフォーク挿入孔の入口部分の拡大断面図である。
【符号の説明】
１  表面部
２  裏面部
３  桁部
４  フォーク挿入孔
５  パレット
８  入口
２０  ガイド用傾斜リブ
２１  補強横リブ
２２ａ  曲面
３０  内隅側補強リブ
【図１】
0003990588.tif 000002
【図２】
0003990588.tif 000003
【図３】
0003990588.tif 000004
【図４】
0003990588.tif 000005
【図５】
0003990588.tif 000006
【図６】
0003990588.tif 000007
【図７】
0003990588.tif 000008
【図８】
0003990588.tif 000009
【図９】
0003990588.tif 000010
【図１０】
0003990588.tif 000011
【図１１】
0003990588.tif 000012
【図１２】
0003990588.tif 000013
【図１３】
0003990588.tif 000014
【図１４】
0003990588.tif 000015
【図１５】
0003990588.tif 000016